(57)【要約】【課題】  薬液の柱状浸透源を大きくとることができて、大きな吐出量を確保でき、短時間で一気に大きな改良体を作ることが可能となって施工性の向上が図れるだけでなく、経済的にも優れた施工ができる。【解決手段】  軸方向に間隔をおいて削孔径よりも大きく膨出する複数の透水性のパッカー４となる袋体を備えた注入外管１と、注入外管１に挿入可能な注入内管２とで構成され、この注入内管２から固化材を袋体内に充填して袋体を膨張させ周辺地盤を圧密するとともにパッカー４を形成し、このパッカー４間に固化材を注入して所定領域を注入固化する薬液注入装置において、前記隣接パッカー４間で注入外管１に形成した注入口を、縦状のスリット７ａを設けた可撓性スリーブ７で被覆した。【選択図】        図３
2005314938.tif 000002
【特許請求の範囲】
【請求項１】
軸方向に間隔をおいて削孔径よりも大きく膨出する複数の透水性の袋体を備えた注入外管と、この注入外管に挿入可能な注入内管とで構成され、この注入内管から固化材を袋体内に充填して袋体を膨張させ周辺地盤を圧密するとともにパッカーを形成し、このパッカー間に固化材を注入して所定領域を注入固化する薬液注入装置において、前記隣接袋体間で注入外管に形成した注入口を、縦状のスリットを設けた可撓性スリーブで被覆したことを特徴とする薬液注入装置。
【請求項２】
前記縦状のスリットは、縦方向に直線状に形成した切込みであることを特徴とする請求項１記載の薬液注入装置。
【請求項３】
前記縦状のスリットは、横方向の小さな切込みの複数を縦方向に並列させた集合によるものであることを特徴とする請求項１記載の薬液注入装置。
【請求項４】
軸方向に間隔をおいて削孔径よりも大きく膨出する複数の透水性の袋体を備えた注入外管と、注入外管に挿入可能な注入内管とで構成され、この注入内管から固化材を袋体内に充填して袋体を膨張させ周辺地盤を圧密するとともにパッカーを形成し、このパッカー間に固化材を注入して所定領域を注入固化する薬液注入装置を用いて、対象地盤を所定深度までケーシング削孔して挿入孔を形成した後、前記注入外管を前記挿入孔内に挿入し、注入内管に設けた吐出口からパッカーグラウト材を袋体内に注入し、袋体を膨出させて前記挿入孔壁面に密着させた後、注入内管を軸方向に移動させて注入内管の複数の吐出口を隣接する複数の袋体間にそれぞれ位置させ、注入内管に薬液を圧送して前記吐出口から吐出させ、注入外管の注入口を通して複数の縦状のスリットから薬液を周囲の地盤に同時注入し、鉛直方向で複数箇所に同時に改良体を作成することを特徴とする地盤強化方法。
【発明の詳細な説明】
【技術分野】
【０００１】
本発明は、薬液注入装置およびそれを用いた地盤強化方法に関するものである。
【背景技術】
【０００２】
大深度地下の周辺地盤や地下水の存在などにより流動性を帯びた不安定な地盤を安定させるための地盤強化方法として、目標とする所定領域の地盤中に固結材を注入する方法がある（例えば特許文献１参照）。
【０００３】
これは、所定領域の地盤中に固結材を地盤全体に亘って注入する工程と、この所定領域中に、あるいは所定領域を貫通して中空管とその先端に装着される膨張自在な袋体とからなるアンカー体を複数本埋設し、その中空管を通じて袋体の内部に固結材を充填し、袋体を膨張させてその周辺地盤を圧密強化する工程とを併用して所定領域の地盤を強化するものである。
【０００４】
前記袋体は、場合に応じて中空管の中間部にも装着されるものであり、袋体が挿入される削孔内の、中空管の回りの空隙には必要により袋体の膨張前または膨張後に固結材が充填される。この固結材の充填は、中空管の内部に挿入してある内管から中空管の周面に穿設した複数個の吐出孔を介して目標地盤に対して行われる。
【０００５】
ところで、地中にグラウトを注入するグラウト注入方法で、注入外管の外側に弾性体で形成された被覆膜を設け、その被覆膜に縦スリット状の吐出孔を設け、注入内管に注入したグラウトを注入外管の貫通孔から被覆膜に設けた縦スリットを介して吐出し、縦方向にグラウト脈を形成するようにしたものもある（例えば特許文献２参照）。
【特許文献１】特許第２５０９００５号公報
【特許文献２】特許第２７２８３６３号公報
【発明の開示】
【発明が解決しようとする課題】
【０００６】
特許文献１に記載の方法は、中空管の周囲で袋体間に形成される空隙に固結材を吐出するものであるが、吐出孔からスポット的に吐出されるものであるため、浸透面積が小さく、吐出量を大きくできず、改良体を形成するのに長時間を要するだけでなく、大きな改良体を形成することが困難である。特に柱状の改良体を形成したい場合、鉛直方向への浸透面積を大きく確保することが難しい。
【０００７】
なお、特許文献２に記載のように吐出のための開口を縦方向に直線状に形成した切込みによる縦スリット状に形成すれば、縦方向への吐出量を大きくできないこともないが、特許文献２に記載の技術は、グラウト脈を縦方向に形成するために縦スリット形状にしたものであり、これだけでは吐出量を大きくして大きな改良体を一気に造成することは困難である。
【０００８】
本発明の目的は前記従来例の不都合を解消し、大きな空間に効率よく注入材を充填させ、削孔壁全周面を浸透源とした柱状浸透を可能とするため、例えば縦方向に吐出口を連続させた吐出孔を設けることで、施工性の向上が図れるだけでなく、経済的にも優れる薬液注入装置およびそれを用いた地盤強化方法を提供することにある。
【課題を解決するための手段】
【０００９】
前記従来例の不都合を解消するため、請求項１記載の本発明は、薬液注入装置として、軸方向に間隔をおいて削孔径よりも大きく膨出する複数の透水性の袋体を備えた注入外管と、注入外管に挿入可能な注入内管とで構成され、この注入内管から固化材を袋体内に充填して袋体を膨張させ周辺地盤を圧密するとともにパッカーを形成し、このパッカー間に固化材を注入して所定領域を注入固化する薬液注入装置において、前記隣接袋体間で注入外管に形成した注入口を、縦状のスリットを設けた可撓性スリーブで被覆したことを要旨とするものである。
【００１０】
請求項１記載の本発明によれば、薬液は縦状のスリットをから効率よく削孔壁と注入孔の空間に充填されるから、柱状浸透源を大きくとることができ、吐出量を大きくしても単位面積当たりの浸透速度は見かけ上小さくなり、注入圧力も小さくなるから、ゆっくりとしっかりした浸透注入ができ、大きな改良体を一気に確実に作ることができる。
【００１１】
請求項２記載の発明は、前記縦状のスリットは、縦方向に直線状に形成した切込みによるものであることを要旨とするものである。
【００１２】
請求項２記載の本発明によれば、スリーブに切込みを入れるだけの簡単な構造で縦状のスリットが形成できる。
【００１３】
請求項３記載の発明は、前記縦状のスリットは、横方向の小さな切込みの複数を縦方向に並列させた集合によるものであることを要旨とするものである。
【００１４】
請求項３記載の本発明によれば、横方向の長さの短い切込みを縦方向に複数並列させることで、全体とては縦状のスリットが形成でき、この場合は、横方向にもある程度の長さを確保できるから、所定の吐出量を確実に得ることができる。
【００１５】
請求項４記載の本発明は、地盤強化方法として、軸方向に間隔をおいて削孔径よりも大きく膨出する複数の透水性の袋体を備えた注入外管と、注入外管に挿入可能な注入内管とで構成され、この注入内管から固化材を袋体内に充填して袋体を膨張させ周辺地盤を圧密するとともにパッカーを形成し、このパッカー間に固化材を注入して所定領域を注入固化する薬液注入装置を用いて、対象地盤を所定深度までケーシング削孔して挿入孔を形成した後、前記注入外管を前記挿入孔内に挿入し、注入内管に設けた吐出口からパッカーグラウト材を袋体内に注入し、袋体を膨出させて前記挿入孔壁面に密着させた後、注入内管を軸方向に移動させて注入内管の複数の吐出口を隣接する複数の袋体間にそれぞれ位置させ、注入内管に薬液を圧送して前記吐出口から吐出させ、注入外管の注入口を通して複数の縦状のスリットから薬液を周囲の地盤に同時注入し、鉛直方向で複数箇所に同時に改良体を作成することを要旨とするものである。
【００１６】
請求項４記載の本発明によれば、薬液はスポット的な吐出口ではなく、これより大きな面積を有する空間に縦状のスリットを通って充填され周囲の地盤に注入されるから、柱状浸透源を大きくとることができ、吐出量を大きくしても単位面積当たりの浸透速度は見かけ上小さくなり、注入圧力も小さくなるから、ゆっくりとしっかりした浸透注入ができ、しかも吐出方向が縦方向であるから鉛直方向の浸透面積を大きく確保できて、大きな縦の柱状の改良体を一気に確実に作ることができる。これに加えて、複数の袋体間の空隙に同時に薬液を注入することで、鉛直方向で同時に改良体を作成でき、さらに大きな柱状の改良体を一度で作ることができる。
【発明の効果】
【００１７】
本発明の薬液注入装置およびそれを用いた地盤強化方法は、薬液はスポット的な吐出口ではなく、これより大きな面積を有する空間に縦状のスリットを通って充填され周囲の地盤に注入されるから、柱状浸透源を大きくとることができて、大きな吐出量を確保でき、吐出量を大きくしても単位面積当たりの浸透速度は見かけ上小さくなり、注入圧力も小さくなるから、ゆっくりとしっかりした浸透注入ができ、しかも吐出方向が縦方向であることに加えて、複数の袋体間の複数の空隙箇所を同時に改良できるから、短時間で一気に大きな改良体を作ることが可能となって施工性の向上が図れるだけでなく、経済的にも優れる。
【発明を実施するための最良の形態】
【００１８】
以下、図面について本発明の実施の形態を詳細に説明する。図１は本発明の薬液注入装置の実施形態を示す分解正面図で、本発明の薬液注入装置は、注入外管１と、この注入外管１内にスライド自在に挿入される注入内管２とで構成され、注入外管１は、中空管３の軸方向に間隔をおいて複数の袋体であるパッカー４が外面部に装着され、隣接パッカー４間およびパッカー４内にそれぞれ注入口（図１においては図示せず）が形成される。
【００１９】
パッカー４は、図２に示すように例えば長さ１ｍに形成して少なくとも中間部を締め付けた複数（図２に示す例では二連）の袋体とし、上下の区分内にそれぞれ中空管３の注入口５が開口するように構成する。なお、１ｍの袋体を一連ものとしてそのまま使用することもある。また、材質としては、固化材の一部が通過する透水性のものとし、この透水性の袋体として織布、不織布、網体などが使用され、後述の削孔径よりも大きく膨出するような径に形成する。
【００２０】
パッカー４間に形成する注入口は、注入外管１を形成する中空管３の周方向に例えば２〜４箇所、放射状の配置で円形のものを設け、この注入口の外側を図２に示すように、ゴムなどを材質とする可撓性スリーブであるスリット盤７で覆う。このスリット盤７には薬液の吐出口となる縦状のスリット７ａを設けた。このスリット盤７は、例えばパッカー４間の間隔が１ｍの場合、３００ｍｍのものを上下に位置させて２個取付ける。縦状のスリット７ａの長さは、縦方向に１００〜２００ｍｍ程度の直線状に形成した切込みによるもの、または、図５に示すような横方向の小さな切込みの複数を縦方向に並列させた集合によるものとする。
【００２１】
注入内管２は、図１に示すように、吐出口９を有しその前後をパッカー部１０としてこのパッカー部１０が注入外管１の中空管３内面に液密に密着し、薬液を圧送するもので、図１（ｂ）に示すトリプルパッカータイプ、図１（ｃ）（ｄ）に示すダブルトリプルパッカータイプなどがある。
【００２２】
次に前記薬液注入装置を使用して地盤強化を行う方法を図３について説明する。まず、対象地盤を所定深度までケーシング削孔して、挿入孔１１を削孔し、この挿入孔１１のケーシング内に、注入外管１を挿入し、その後ケーシングのみを引き抜き、注入外管１内に注入内管２を挿入する。
【００２３】
注入外管１の挿入時、パッカー４が挿入孔１１の孔壁、またはケーシングの周壁に引っ掛かるのを防止するため、例えばプラスチックなどの合成樹脂製で半円の固定バンドでパッカー４を中空管３に固定しておく。この固定バンドは後述のようにパッカーグラウト材の注入圧で簡単に外れる構造であれば、前記の形状に限定されるものではない。
【００２４】
注入内管２に形成してある吐出口９を、注入外管１のパッカー４位置に合致させ、注入内管２の吐出口９からパッカーグラウト材を中空管３内に吐出すれば、パッカーグラウト材はここからさらに注入口５を通ってパッカー４内に吐出される。パッカーグラウト材としては、例えば、注入当初は粘性が低く、５分後くらいから粘性が急激に増加する低アルカリ型の注入材料を使用する。
【００２５】
なお、パッカー４は二連の袋体とすることで、上下に区分された袋体内にそれぞれ別個にパッカーグラウト材が注入されるから、注入途中で下方部分のパッカーグラウト材が固化して注入が途中で停止するおそれもなく、パッカー４の上部まで確実に注入される。なお、袋体は１ｍのものを一連ものとしてそのまま使用することもある。
【００２６】
このようにしてパッカー４を膨出させ、挿入孔１１の孔壁に密着させた後、注入内管２をスライドさせて吐出口９を注入外管１のパッカー４間に位置させ、吐出口９から薬液を中空管３内に吐出する。中空管３内に注入された薬液は、図３に示すように、ここに形成してある注入口５から吐出し、スリット盤７に設けた縦状のスリット７ａを押し開いて挿入孔１１の空隙部分に吐出する。
【００２７】
この場合、薬液は縦状のスリット７ａから吐出するから、例えば円形の孔などからスポット的に注入する場合に比較して、これより大きな開口面積を通って周囲の地盤に注入され、よって、広い注入孔間隔（２〜４ｍ）で鉛直方向の柱状浸透源を大きくとることができ、吐出量を大きくし吐出速度を大きくしても（２０〜３０Ｌ／分）単位面積当たりの浸透速度は見かけ上小さくなり、注入圧力も小さくなるから、ゆっくりとしっかりした浸透注入ができ、しかも吐出方向が縦方向であるから大きな縦の柱状の改良体を一気に確実に作ることができる。
【００２８】
特に、スリット７ａを横方向の小さな切込みを縦方向に複数並列させた形状とした場合は、全体形状としては縦方向のスリットであっても横方向にもある程度の長さを確保できるから、所定の吐出量を確実に得ることができ、大きな縦の柱状の改良体を一気に確実に作ることができる。
【００２９】
また、注入内管２にダブルトリプルパッカータイプのものを使用すれば、図３に示すようにパッカー４間の２箇所（２ステージ）を同時に薬液注入でき、例えば縦２ｍ、直径２〜５ｍの柱状の大きな改良体を連続して同時施工できる。
【００３０】
前記のようにゆっくりとした速度で大きな改良体を作るためには、薬液は、例えばイオン交換法によって水ガラスのアルカリを除去して得られた活性シリカをベースとした活性複合シリカグラウトのようにゲルタイムが数時間から十数時間の長いものを使用する。なお、ゲルタイムの調整は、図４に示すように添加剤の配合量を変えることで行う。
【図面の簡単な説明】
【００３１】
【図１】本発明の薬液注入装置の実施形態を示す注入外管と注入内管の正面図である。
【図２】本発明の薬液注入装置の一部切欠いた正面図である。
【図３】本発明の地盤強化方法の実施形態を示す正面図である。
【図４】本発明の地盤強化方法で使用する薬液のゲルタイムを示すグラフである。
【図５】本発明の薬液注入装置の要部である縦状のスリットの一例を示す正面図である。
【符号の説明】
【００３２】
１  注入外管                    ２  注入内管
３  中空管                      ４  パッカー
５  注入口                      ７  スリット盤
７ａ  スリット                  ９  吐出口
１０  パッカー部                １１  挿入孔
【図１】
2005314938.tif 000003
【図２】
2005314938.tif 000004
【図３】
2005314938.tif 000005
【図４】
2005314938.tif 000006
【図５】
2005314938.tif 000007